(57)【要約】【課題】フレキシブルプリント基板に負荷を与えることなく液晶パネルと外部回路とを接続できる液晶表示装置を提供する。【解決手段】ＦＰＣ５の液晶パネル３に接続する第１接続部65から突出した突出部66に、第１接続部65から離間した位置にて液晶パネル３側へと自由端状に第２接続部67を突設する。突出部66を液晶パネル３の背面側へと折り返すことで、第２接続部67が液晶パネル３と反対側へと突出するので、ＦＰＣ５に必要以上に大きな負荷を与えることなく液晶パネル３と外部回路６とを接続できる。【選択図】図１
2008257001.tif 000002
【特許請求の範囲】
【請求項１】
表示素子と、
この表示素子と外部回路とを電気的に接続するフレキシブル基板とを具備し、
前記フレキシブル基板は、
前記表示素子に接続された第１接続部と、
この第１接続部に連続して形成され、前記表示素子の外側に突出するとともに、前記表示素子の一主面側へと折り返されて固定される突出部と、
この突出部から前記第１接続部と離間された位置にて前記表示素子側へと自由端状に突設され、前記外部回路側に接続される第２接続部とを備えている
ことを特徴とした表示装置。
【請求項２】
前記表示素子の一主面側に配設され、この表示素子の一主面側へと前記突出部が折り返された前記フレキシブル基板が固定される導光体を具備し、
前記フレキシブル基板は、前記突出部に実装され、前記折り返し状態で前記導光体の側面に対向する光源を備えている
ことを特徴とした請求項１記載の表示装置。
【発明の詳細な説明】
【技術分野】
【０００１】
本発明は、表示素子側と外部回路側とを電気的に接続するフレキシブル基板を備えた表示装置に関する。
【背景技術】
【０００２】
表示装置である液晶表示装置は、産業分野に関して幅広く用いられており、その薄型、低消費電力などの利点を生かして、携帯端末用途などに益々応用されてきている。
【０００３】
近年では、液晶表示装置を搭載した機器の普及に伴い、その小型化および薄型化の要求が高まってきている。これを実現するものとして、フレキシブル基板がある。
【０００４】
そして、近年加速する製品の小型化および薄型化の傾向により、このようなフレキシブル基板としては、表示素子としての液晶表示素子である液晶パネルからこの液晶パネルの裏面側へと折り返され、例えばバックライトの導光板、あるいは液晶パネルを覆う金属フレームなどに固定されるものが知られている（例えば、特許文献１参照。）。
【特許文献１】特開２００１−１３３７５６号公報
【発明の開示】
【発明が解決しようとする課題】
【０００５】
フレキシブル基板は、液晶パネル側と、この液晶パネルに画像信号などを入力する外部回路との間に接続されるため、このフレキシブル基板には、外部回路との接続用の接続部を設ける必要がある。
【０００６】
しかしながら、上述の表示装置では、フレキシブル基板が液晶パネルの裏面側に折り返された状態で固定されるので、フレキシブル基板の先端側などに接続部を設けると、液晶パネルに対して折り返したフレキシブル基板を再度折り返して液晶パネルの外方に突出させなければならず、フレキシブル基板に負荷が加わるという問題点を有している。
【０００７】
本発明は、このような点に鑑みなされたもので、フレキシブル基板に必要以上に大きな負荷を与えることなく表示素子と外部回路とを接続できる表示装置を提供することを目的とする。
【課題を解決するための手段】
【０００８】
本発明は、表示素子と、この表示素子と外部回路とを電気的に接続するフレキシブル基板とを具備し、前記フレキシブル基板は、前記表示素子に接続された第１接続部と、この第１接続部に連続して形成され、前記表示素子の外側に突出するとともに、前記表示素子の一主面側へと折り返されて固定される突出部と、この突出部から前記第１接続部と離間された位置にて前記表示素子側へと自由端状に突設され、前記外部回路側に接続される第２接続部とを備えているものである。
【０００９】
そして、フレキシブル基板の表示素子に接続する第１接続部から突出した突出部に、第１接続部から離間された位置にて表示素子側へと自由端状に第２接続部を突設する。
【発明の効果】
【００１０】
本発明によれば、突出部を表示素子の一主面側へと折り返すことで、第２接続部が表示素子と反対側へと突出するので、フレキシブル基板に必要以上に大きな負荷を与えることなく表示素子と外部回路とを接続できる。
【発明を実施するための最良の形態】
【００１１】
以下、本発明の一実施の形態の表示装置の構成を図１ないし図７を参照して説明する。
【００１２】
図１ないし図７において、１は例えば携帯電話などの携帯端末に用いられる表示装置としての平面表示装置である液晶表示装置を示し、この液晶表示装置１は、フレームである金属性のベゼル２内に、表示素子としての平面表示素子、すなわち液晶表示素子である液晶パネル３と、この液晶パネル３に面状光を照射する面状光源装置としてのバックライト４とが重ね合わせられて保持され、液晶パネル３に接続されたフレキシブル基板としてのフレキシブルプリント基板５(以下、ＦＰＣ５という)により、外部回路６と電気的および物理的に接続されている。
【００１３】
図５ないし図７に示すように、ベゼル２は、背面側であるバックライト４側に位置するベゼル本体11と、このベゼル本体11の前面側に取り付けられるベゼルカバー12とにより構成されている。
【００１４】
ベゼル本体11は、平面視で四角形状の底板15と、この底板15の長手方向両端部から前側すなわちベゼルカバー12側へと突出する端壁部16，17と、底板15の幅方向両端部から前側へと突出する側壁部18，19とを有し、端壁部16には、ＦＰＣ５の一部が露出する開口部20が開口形成され、この開口部20に、ＦＰＣ５を固定するテープ21が貼り付けられている。
【００１５】
また、ベゼルカバー12は、ベゼル本体11よりも平面視で若干大きい四角形状の前板25と、この前板25の長手方向両端部から後側すなわちベゼル本体11側へと突出するカバー端壁部26，27と、前板25の幅方向両端部から後側へと突出するカバー側壁部28，29とを有し、ベゼル本体11の端壁部16，17および側壁部18，19との間にそれぞれ形成されたベゼル接続部30により、ベゼル本体11に対して着脱可能となっている。さらに、前板25には、液晶パネル３の前側が露出する四角形状の露出開口部31が開口形成されている。この露出開口部31は、カバー端壁部26よりもカバー端壁部27側に偏位し、カバー側壁部28，29の近傍に亘って形成されている。
【００１６】
液晶パネル３は、例えばアクティブマトリクス型のものであり、平面視で四角形状に形成され、アレイ基板35と、このアレイ基板35に対向配置される対向基板36との間に、図示しない液晶層が介在され、かつ、アレイ基板35と対向基板36とのそれぞれの一主面上に偏光板37，38が取り付けられて構成されている。
【００１７】
アレイ基板35には、絶縁基板である透明なガラス基板41の前面、すなわち偏光板37と反対側に、図示しない走査線と信号線とが格子状に形成され、これら走査線と信号線との交差位置のそれぞれに、それぞれスイッチング素子としての薄膜トランジスタ(ＴＦＴ)が配設され、対をなす走査線間と対をなす信号線間とで囲まれる四角形状の領域に、薄膜トランジスタのドレイン電極に電気的に接続され副画素を構成する略四角形状の画素電極が配設されている。したがって、副画素は、ガラス基板41上にマトリクス状に形成され、これら副画素が配設された部分が、ベゼル２の露出開口部31から露出し画像を表示する四角形状の表示領域となっている。
【００１８】
さらに、ガラス基板41には、対向基板36から突出した長手方向の一端側に、各薄膜トランジスタを駆動させる駆動手段としてのドライバＩＣ43が配設されている。このドライバＩＣ43は、ガラス基板41の長手方向に沿って長手状に形成され、図１および図３に示す右側に偏位している。そして、アレイ基板35のドライバＩＣ43が配設された領域は、ＦＰＣ５を介して外部回路６と接続される入力端子部45となっている。
【００１９】
また、ガラス基板41の背面側すなわちバックライト４側には、偏光板37と等しい厚みのスペーサ47が、偏光板37の外方に取り付けられている。そして、液晶パネル３は、スペーサ47と偏光板37の端部とに亘って貼り付けられた接続テープ48を介してバックライト４と貼り付けられ、ベゼル２のベゼル本体11の端壁部16，17および側壁部18，19の内側に形成された段部49に周縁部が固定されている。
【００２０】
対向基板36は、絶縁基板である透明なガラス基板51の背面、すなわち偏光板38と反対側に、図示しない着色層であるカラーフィルタと、共通電極である対向電極とが積層されている。
【００２１】
カラーフィルタは、各副画素に所定の色、例えばＲＧＢ３色を着色するもので、これら３色により、１つの画素を構成している。
【００２２】
対向電極は、アレイ基板35の画素電極との間に印加された電圧により、各副画素に画像を表示するためのものである。
【００２３】
バックライト４は、液晶パネル３よりも小さい平面視で四角形板状の導光体としての導光板55と、ＦＰＣ５上に実装された光源としての複数のＬＥＤ56とを備え、導光板55の一主面である背面側すなわちベゼル本体11側に、反射フィルム57が貼り付けられているとともに、この導光板55の他主面である前面側すなわち液晶パネル３側に、拡散および集光用の各種シート58が重ね合わせられて構成されている。
【００２４】
導光板55は、一端面である側面が、ＬＥＤ56からの光が入射する入射面55aとなっており、この入射面55aに入射されたＬＥＤ56からの光を反射および拡散させて面状光に変換して前面である出射面55bから出射するものであり、少なくとも液晶パネル３の表示領域よりも大きく形成されている。
【００２５】
ＬＥＤ56は、導光板55の幅方向に複数、互いに離間されて配設され、ベゼル２内にて導光板55の入射面55aに対向している。
【００２６】
そして、ＦＰＣ５は、図１ないし図４に示すように、導電性熱可塑接着剤(ＡＣ)などにより液晶パネル３の入力端子部45と電気的および物理的に接続される第１接続部65を備え、この第１接続部65に突出部66が連続して形成されているとともに、この突出部66に、外部回路６と電気的および物理的に接続される第２接続部67が自由端状に突設されている。
【００２７】
第１接続部65は、例えば液晶パネル３へと信号を出力する出力部であり、液晶パネル３の入力端子部45に対応する図中左右に長手状に形成されている。
【００２８】
突出部66は、第１接続部65に基端側が連続する折曲部66aと、この折曲部66aの先端側に連続する連続部66bとを有している。
【００２９】
折曲部66aは、液晶パネル３をベゼル２内に取り付ける際に、この液晶パネル３の背面側であるバックライト４の導光板55の背面側へと折り返される部分であり、図中左右に長手状に形成され、第１接続部65と略等しい長手寸法を有している。
【００３０】
また、連続部66bは、両端部が液晶パネル３の幅寸法と略等しい長手状に形成され、長手方向の一端寄りの位置で折曲部66aと連続しており、長手方向の他端側が、一端側よりも、折曲部66aの長手方向に突出している。さらに、この連続部66bの背面側、すなわち、ＦＰＣ５を開いた状態での裏面側には、上記ＬＥＤ56、および、コンデンサあるいは抵抗などの図示しない各種部品がそれぞれ実装されている。
【００３１】
第２接続部67は、例えば外部回路６から信号が入力される入力部であり、突出部66の連続部66bの長手方向の他端側の折曲部66aに対して離間された位置から、第１接続部65と同方向である液晶パネル３側へと突出している。すなわち、第２接続部67と突出部66の連続部66bとの間には、空間部としての括れ部である切欠部69が所定の幅寸法の凹状に形成され、第１接続部65から延伸した位置に第２接続部67が位置していない。さらに、第２接続部67の先端側には、ＦＰＣ５を開いた状態での表面側に、外部回路６との接続用の端子部67aが設けられている。
【００３２】
また、外部回路６は、ドライバＩＣ43に画像信号などを送信するためのものである。
【００３３】
次に、上記一実施の形態の作用を説明する。
【００３４】
液晶表示装置１を組み立てる際には、まず、ＦＰＣ５の第１接続部65を液晶パネル３のアレイ基板35に導電性熱可塑接着剤を介して接続する。
【００３５】
この状態で、図３および図４に示すように、突出部66が液晶パネル３の長手方向の一端から外方へと突出するとともに、第２接続部67が、液晶パネル３側に向き、この液晶パネル３のアレイ基板35の入力端子部45が位置する面と干渉する位置に位置する。
【００３６】
そして、この液晶パネル３と導光板55とを接続テープ48により貼り付けた後、ＦＰＣ５の突出部66の折曲部66aを、液晶パネル３の背面側である導光板55方向へと折り返すように１８０°巻き込ませて曲げると、図１および図２に示すように、第２接続部67が第１接続部65と相反する方向に向くように突出するとともに、図７に示すように、ＬＥＤ56が導光板55の入射面55aに対向し、かつ、突出部66に実装された各種部品が、ＦＰＣ５と液晶パネル３および導光板55との側に内封される。
【００３７】
この状態で、ＦＰＣ５を導光板55の反射フィルムに貼り付けて固定し、ベゼル本体11の底板15上に載置する。このとき、ＦＰＣ５の突出部66の折曲部66aの外面側が開口部20からベゼル２の外方へと露出し、第２接続部67がベゼル２に対して突出する。
【００３８】
そして、ベゼル本体11の前側に、ベゼルカバー12を被せ、各ベゼル接続部30によりこれらベゼル本体11とベゼルカバー12とを固定して、図５および図６に示す液晶表示装置１を完成する。
【００３９】
この後、ベゼル２から突出した第２接続部67を外部回路６に接続する。
【００４０】
上述したように、上記一実施の形態では、ＦＰＣ５の第１接続部65から突出した突出部66に、第１接続部65から離間された位置にて液晶パネル３側へと自由端状に第２接続部67を突設することで、突出部66を液晶パネル３の背面側へと折り返すと、第２接続部67が液晶パネル３と反対側へと突出し、端子部67aが背面側に位置する。
【００４１】
すなわち、液晶表示装置１においては、薄型化および省スペース化のため、ＦＰＣ５を
１８０°折り返す構成が一般的に採用され、このように折り返す従来の場合では、ＦＰＣを外部回路に接続するための接続部を、この折り返したＦＰＣに対して再度折り返して液晶パネルの外方に突出させる必要があったのに対して、本実施の形態では、ＦＰＣ５を再折り返しすることなく第２接続部67が液晶パネル３の外部に突出するから、ＦＰＣ５に必要以上に大きな負荷を与えることなく液晶パネル３と外部回路６とを接続できる。
【００４２】
また、別個の基板を用いることなく液晶パネル３と外部回路６とを第２接続部67により接続できるので、構成を簡略化できる。
【００４３】
さらに、ＦＰＣの再折り返しをしないで済むようにＦＰＣの長手方向の端部に外部回路との接続部を設ける従来の場合では、この接続部が液晶パネルの幅方向の外方へと突出し、省スペース化が容易でないのに対して、本実施の形態では、第２接続部67の突出方向が第１接続部65の接続方向と相反する方向となるため、第２接続部67が液晶パネル３の幅方向に突出することもなく、省スペース化が可能となる。
【００４４】
そして、折り返したＦＰＣ５を固定する導光板55の入射面55aに対向するように液晶パネル３にＬＥＤ56を実装することで、折り返したＦＰＣ５と液晶パネル３および導光板55との間にＬＥＤ56が内封されて外に突出せず、かつ、ＬＥＤ56の給電専用の基板などを別個に設ける必要もないので、省スペース化できる。
【００４５】
また、このように省スペース化および薄型化が可能になることで、液晶表示装置１を、携帯電話などの、小型および薄型の機器に用いることが可能になり、この携帯電話などの機器の小型化および薄型化も可能になる。
【００４６】
なお、上記一実施の形態において、第２接続部67は、液晶表示装置１と外部回路６との位置関係、および、外部回路６との接続形状などに対応して適宜形状を設定する。
【００４７】
また、表示素子としては、透過型の液晶パネル３に限定されず、例えば反射型の液晶パネル、あるいは、有機ＥＬなどでも対応して用いることができる。
【図面の簡単な説明】
【００４８】
【図１】本発明の一実施の形態の表示装置のフレキシブル基板の曲げ状態での表示素子の表面側を示す平面図である。
【図２】同上フレキシブル基板の曲げ状態での表示素子の裏面側を示す平面図である。
【図３】同上フレキシブル基板の開き状態での表示素子の表面側を示す平面図である。
【図４】同上フレキシブル基板の開き状態での表示素子の裏面側を示す平面図である。
【図５】同上表示装置の表面側を示す平面図である。
【図６】同上表示装置の裏面側を示す平面図である。
【図７】同上表示装置の図５のＡ−Ａ断面図である。
【符号の説明】
【００４９】
１    表示装置としての液晶表示装置
３    表示素子としての液晶パネル
５    フレキシブル基板としてのフレキシブルプリント基板
６    外部回路
55    導光体としての導光板
56    光源としてのＬＥＤ
65    第１接続部
66    突出部
67    第２接続部
【図１】
2008257001.tif 000003
【図２】
2008257001.tif 000004
【図３】
2008257001.tif 000005
【図４】
2008257001.tif 000006
【図５】
2008257001.tif 000007
【図６】
2008257001.tif 000008
【図７】
2008257001.tif 000009